(57)【要約】【課題】定型の用紙サイズに適するように、原稿の読取サイズを設定可能にする。【解決手段】載置読取用プラテンガラス１６２に載置された原稿Ｍ１の画像を主走査方向に読み取る原稿読取部と、主走査方向における原稿サイズＭＹの検知を行う原稿サイズ検知部と、原稿サイズＭＹと給紙部により給紙される定型の用紙サイズの短辺ＰＳとを比較し、原稿サイズＭＹが用紙サイズの短辺ＰＳ以下であると判断した場合、主走査方向における読取サイズＲＨを用紙サイズの短辺ＰＳに設定し、副走査方向における読取サイズＲＶを用紙サイズの長辺ＰＬの長さに設定する読取サイズ設定部と、を備える。【選択図】図５
2018121304.tif 000002
【特許請求の範囲】
【請求項１】
原稿を載置するためのプラテンガラスと、
前記プラテンガラスに載置された原稿の画像を主走査方向に読み取る原稿読取部と、
前記主走査方向における原稿サイズの検知を行う原稿サイズ検知部と、
原稿の読取サイズを設定する読取サイズ設定部と、
用紙を収容し、当該用紙を給紙する給紙部と、
前記給紙部により給紙された用紙に、前記原稿読取部の読み取りで得られた画像のトナー像を形成する画像形成部と、
前記読取サイズ設定部で設定された読取サイズで前記原稿読取部に前記原稿を読み取らせ、当該読み取りで得られた画像のトナー像を、前記給紙部により給紙された用紙に対して、前記画像形成部に画像形成させる制御部と、を備え、
前記読取サイズ設定部は、前記原稿サイズ検知部により検知された前記主走査方向における原稿サイズと、前記給紙部により給紙される定型の用紙サイズの短辺とを比較し、前記主走査方向における原稿サイズが前記用紙サイズの短辺以下であると判断した場合、前記主走査方向と直交する副走査方向における読取サイズを前記用紙サイズの長辺の長さに設定する画像形成装置。
【請求項２】
前記読取サイズ設定部は、前記主走査方向における原稿サイズが前記用紙サイズの短辺以下であると判断した場合、前記主走査方向における読取サイズを前記用紙サイズの短辺の長さに設定する請求項１に記載の画像形成装置。
【請求項３】
前記読取サイズ設定部は、前記主走査方向における原稿サイズが前記用紙サイズの短辺以下であると判断した場合、前記主走査方向における読取サイズを前記主走査方向における原稿サイズに設定する請求項１に記載の画像形成装置。
【請求項４】
前記読取サイズ設定部は、前記主走査方向における原稿サイズと、前記用紙サイズの短辺とを比較し、前記主走査方向における原稿サイズが前記用紙サイズの短辺よりも大きいと判断した場合、前記主走査方向における読取サイズを前記用紙サイズの長辺の長さに設定し、前記副走査方向における読取サイズを前記用紙サイズの短辺の長さに設定する請求項１乃至請求項３のいずれかに記載の画像形成装置。
【請求項５】
前記制御部は、前記読取サイズ設定部で設定された読取サイズの向きと前記用紙サイズの用紙の前記給紙部により給紙される向きとが一致しないと判断した場合、前記原稿読取部の読み取りで得られた画像を９０度又は２７０度回転させて、前記給紙部により給紙された用紙に対して、前記画像形成部に当該画像のトナー像を形成させる請求項１乃至請求項４のいずれかに記載の画像形成装置。
【請求項６】
前記制御部は、前記読取サイズ設定部で設定された読取サイズの向きと前記用紙サイズの用紙の前記給紙部により給紙される向きとが一致しないと判断した場合、前記原稿読取部の読み取りで得られた画像を９０度又は２７０度回転させ、当該回転後も前記読取サイズ設定部で設定された読取サイズの向きと前記用紙サイズの用紙の前記給紙部により給紙される向きとが一致しないときは、前記原稿読取部の読み取りで得られた画像を縮小させて、前記給紙部により給紙された用紙に対して、前記画像形成部に当該画像のトナー像の全てを形成させる請求項５に記載の画像形成装置。
【請求項７】
前記制御部は、前記読取サイズ設定部で設定された読取サイズの向きと前記用紙サイズの用紙の前記給紙部により給紙される向きとが一致しないと判断した場合、前記原稿読取部の読み取りで得られた画像を縮小させて、前記給紙部により給紙された用紙に対して、前記画像形成部に当該画像のトナー像を形成させる請求項１乃至請求項４のいずれかに記載の画像形成装置。
【請求項８】
前記主走査方向における原稿サイズと前記用紙サイズの短辺との比較結果に基づいた、前記読取サイズの設定の実施又は不実施のユーザーからの選択を受け付ける操作受付部を備え、
前記読取サイズ設定部は、前記操作受付部により受け付けられた選択が当該実施の場合、前記比較結果に基づいた前記読取サイズの設定を行い、前記操作受付部により受け付けられた選択が当該不実施の場合、前記比較結果に基づいた前記読取サイズの設定を行わない請求項１乃至請求項７のいずれかに記載の画像形成装置。
【発明の詳細な説明】
【技術分野】
【０００１】
本発明は、画像形成装置に関し、特に、原稿の読取サイズを設定する技術に関する。
【背景技術】
【０００２】
画像形成装置には、プラテンガラスに載置された原稿のサイズを自動で検知し、検知したサイズから読取サイズを設定し、設定した読取サイズで原稿の画像を読み取り、用紙に画像形成を行うものがある。
【０００３】
しかしながら、原稿が定形サイズではなく、不定形サイズである場合、読取サイズが適正に設定されず、原稿の画像の一部が欠けた画像形成が行われ、ユーザーの意図しない出力結果となる場合がある。例えば、縦辺がＡ６サイズ（以下、単にＡ６という）短辺相当の長さで、横辺がＡ４サイズ長辺相当の長さである不定形サイズの原稿がプラテンガラスに載置された場合に、読取サイズがＡ４サイズ（以下、単にＡ４という）ではなく、Ａ６に設定されると、画像が欠けてしまう。
【０００４】
また、下記の特許文献１，２には、原稿から読み取った画像に回転処理を施して、用紙への画像形成を行うことによって、ユーザーの意図しない出力結果となるのを回避することが記載されているが、読取サイズが適正に設定されていなければ、上記回転処理はあまり意味をなさない。
【先行技術文献】
【特許文献】
【０００５】
【特許文献１】特開２０００−１６５６５３号公報
【特許文献２】特開２０００−０７８３９４号公報
【発明の概要】
【発明が解決しようとする課題】
【０００６】
ところで、画像が形成される用紙のサイズについては、給紙カセットが１つの場合や、ユーザーからの指定によって、予め定められている場合がある。
【０００７】
定型の用紙サイズの用紙に、原稿の画像を縮小させずに形成する場合、原稿の読取サイズを用紙サイズより大きくしても、出力結果には反映されないので、原稿の読取サイズを用紙サイズより大きくしても意味がない。そのため、例えば、主走査方向における読取サイズを、用紙サイズの短辺（又は長辺）の長さに設定すれば、副走査方向における読取サイズについては、用紙サイズの長辺（又は短辺）の長さに設定することになる。しかしながら、当該設定が適正でなければ、画像が欠けたり、画像の欠ける範囲が大きくなったりする。
【０００８】
本発明は、上記の事情に鑑みなされたものであり、定型の用紙サイズに適するように、原稿の読取サイズを設定可能とすることを目的とする。
【課題を解決するための手段】
【０００９】
本発明の一局面に係る画像形成装置は、原稿を載置するためのプラテンガラスと、前記プラテンガラスに載置された原稿の画像を主走査方向に読み取る原稿読取部と、前記主走査方向における原稿サイズの検知を行う原稿サイズ検知部と、原稿の読取サイズを設定する読取サイズ設定部と、用紙を収容し、当該用紙を給紙する給紙部と、前記給紙部により給紙された用紙に、前記原稿読取部の読み取りで得られた画像のトナー像を形成する画像形成部と、前記読取サイズ設定部で設定された読取サイズで前記原稿読取部に前記原稿を読み取らせ、当該読み取りで得られた画像のトナー像を、前記給紙部により給紙された用紙に対して、前記画像形成部に画像形成させる制御部と、を備え、前記読取サイズ設定部は、前記原稿サイズ検知部により検知された前記主走査方向における原稿サイズと、前記給紙部により給紙される定型の用紙サイズの短辺とを比較し、前記主走査方向における原稿サイズが前記用紙サイズの短辺以下であると判断した場合、前記主走査方向と直交する副走査方向における読取サイズを前記用紙サイズの長辺の長さに設定するものである。
【発明の効果】
【００１０】
本発明によれば、主走査方向における原稿サイズと、定型の用紙サイズの短辺とが比較され、主走査方向における原稿サイズが用紙サイズの短辺以下である（すなわち、主走査方向における読取サイズは用紙サイズの短辺の長さで十分であり、用紙サイズの長辺の長さを必要としない）と判断された場合、副走査方向における読取サイズとして用紙サイズの長辺の長さが設定される。
【００１１】
原稿サイズ検知部は副走査方向における原稿サイズを検知しないため、副走査方向における必要な読取サイズは分からないが、本発明では、当該必要な大きさの分からない副走査方向における読取サイズが、最大限大きくなるように、用紙サイズの短辺ではなく長辺の長さに設定される。このため、副走査方向における画像形成において、画像が欠ける可能性を低くしたり、画像が欠けたとしても、その範囲を小さくしたりすることができる。従って、本発明によれば、画像形成に用いられる用紙サイズに適した、原稿の読取サイズの設定が可能になる。
【図面の簡単な説明】
【００１２】
【図１】本発明の第１実施形態に係る画像形成装置の外観を示した斜視図である。
【図２】第１実施形態に係る画像形成装置の主要内部構成を概略的に示した機能ブロック図である。
【図３】原稿読取部を模式的に示した平面図である。
【図４】第１実施形態に係る画像形成装置における制御ユニットで行われる処理動作の一例を示したフローチャートである。
【図５】載置読取用プラテンガラスに不定形サイズの原稿が横向きに載置された状態の一例を示した図であり、（Ａ）は上方から見た図であり、（Ｂ）は下方から見た図である。
【図６】載置読取用プラテンガラスに不定形サイズの原稿が縦向きに載置された状態の一例を示した図であり、（Ａ）は上方から見た図であり、（Ｂ）は下方から見た図である。
【図７】（Ａ）は用紙の一例を示した図であり、（Ｂ）は画像が形成された出力結果の一例を示した図である。
【図８】第２実施形態に係る画像形成装置における制御ユニットで行われる処理動作の一例を示したフローチャートである。
【図９】載置読取用プラテンガラスに不定形サイズの原稿が横向きに載置された状態の一例を示した図であり、（Ａ）は上方から見た図であり、（Ｂ）は下方から見た図である。
【図１０】表示部に表示される表示の一例を示した図である。
【発明を実施するための形態】
【００１３】
以下、本発明の一実施形態に係る画像形成装置について図面を参照して説明する。図１は、本発明の第１実施形態に係る画像形成装置の外観を示した斜視図である。図２は、第１実施形態に係る画像形成装置の主要内部構成を概略的に示した機能ブロック図である。
【００１４】
画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、及びマット開閉スイッチ５１を含んで構成されている。
【００１５】
原稿読取部５は、光照射部を使って原稿を照射し、その反射光を受光することによって、原稿の画像を主走査方向に読み取る。原稿読取部５は、原稿給送部６から搬送されてきた原稿を読み取るための搬送読取用プラテンガラス１６１と、原稿を載置するための載置読取用プラテンガラス１６２と、を備えている。
【００１６】
図３は、原稿読取部５を模式的に示した平面図であり、図中の奥行き方向が主走査方向となり、図中の左右方向が副走査方向となる。なお、載置読取用プラテンガラス１６２は、特許請求の範囲におけるプラテンガラスの一例である。
【００１７】
原稿給送部６は、読取対象の原稿を原稿読取部５へ給送する。また、原稿給送部６は、原稿読取部５の上面にヒンジ等によって開閉可能に構成され、原稿給送部６は、原稿マット６１を備え、載置読取用コンタクトガラス１６２上に載置された原稿を読み取る場合に原稿押さえカバーとして機能する。また、原稿読取部５には、原稿マット６１の開閉を検知するためのマット開閉スイッチ５１が設けられている。
【００１８】
画像形成部１２は、印刷すべき画像のトナー像を用紙上に形成する。画像メモリー３２は、原稿読取部５による読み取りで得られた原稿の画像データを一時的に記憶したり、画像形成部１２のプリント対象となるデータを一時的に保存したりするための領域である。
【００１９】
ＨＤＤ９２は、原稿読取部５によって読み取られた原稿画像等を記憶する大容量の記憶装置である。定着部１３は、用紙上のトナー像を、熱圧着により用紙に定着させるものであり、定着処理が施された用紙は、排出トレイ１５１に排出される。給紙部１４は、給紙カセットに収容された用紙をピックアップして搬送する。
【００２０】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００２１】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、原稿サイズ検知部１０２と、読取サイズ設定部１０３とを備えている。
【００２２】
制御ユニット１０は、ＨＤＤ９２に記憶されている制御プログラムに従った上記プロセッサーによる動作により、制御部１００、操作受付部１０１、原稿サイズ検知部１０２、及び読取サイズ設定部１０３として機能する。但し、制御部１００等は、制御ユニット１０による制御プログラムに従った動作によらず、ハードウェア回路により構成することも可能である。以下、特に触れない限り、各実施形態について同様である。
【００２３】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、及びマット開閉スイッチ５１と接続され、これら各部の駆動制御等を行う。
【００２４】
制御部１００は、例えば、読取サイズ設定部１０３で設定された読取サイズで原稿読取部５に原稿を読み取らせ、当該読み取りで得られた画像のトナー像を、給紙部１４により給紙された用紙に対して、画像形成部１２に画像形成させる。
【００２５】
操作受付部１０１は、操作部４７を介したユーザーからの操作入力を受け付ける。
【００２６】
原稿サイズ検知部１０２は、載置読取用プラテンガラス１６２に載置された原稿の主走査方向における原稿サイズＭＹの検知を行う。例えば、原稿サイズ検知部１０２は、マット開閉スイッチ５１がオンされた後（原稿給送部６が閉じられた後）、原稿読取部５に主走査方向に１ライン分の原稿の読み取りを行わせ、原稿読取部５により読み取りで得られた画像データに基づいて、明度差から原稿の端部を判別することによって、主走査方向における原稿サイズＭＹを検知する。
【００２７】
読取サイズ設定部１０３は、載置読取用プラテンガラス１６２に載置された原稿の読取サイズを設定する（詳細は後述）。
【００２８】
次に、第１実施形態に係る画像形成装置１の制御ユニット１０で行われる処理動作の一例について、図４に示したフローチャートに基づいて説明する。なお、この処理動作は、ユーザーから定型の用紙サイズが予め指定されて操作受付部１０１に受け付けられている状態であり、なおかつユーザーから原稿の読取サイズが指定されていない状態（すなわち、自動検知モードになっている状態）であるときに、操作受付部１０１が、ユーザーからのコピー指示を受け付けた場合に行われる処理動作である。
【００２９】
まず、読取サイズ設定部１０３が、原稿サイズ検知部１０２により検知された主走査方向における原稿サイズＭＹと、給紙部１４により給紙される上記指定された定型の用紙サイズの短辺ＰＳとを比較し、原稿サイズＭＹが用紙サイズの短辺ＰＳ以下であるか否かを判断する（Ｓ１）。
【００３０】
読取サイズ設定部１０３が、原稿サイズＭＹが用紙サイズの短辺ＰＳ以下であると判断した場合（Ｓ１でＹＥＳ）、読取サイズ設定部１０３が、主走査方向における読取サイズＲＨを、上記指定された定型の用紙サイズの短辺ＰＳの長さに設定すると共に（Ｓ２）、副走査方向における読取サイズＲＶを、上記指定された定型の用紙サイズの長辺ＰＬの長さに設定する（Ｓ３）。
【００３１】
図５は、載置読取用プラテンガラス１６２に不定形サイズの原稿Ｍ１が横向きに載置された状態の一例を示した図であり、（Ａ）は上方から見た図であり、（Ｂ）は下方から見た図である。例えば、上記指定された定型の用紙サイズがＡ４サイズ（以下、単にＡ４という。サイズ２１０mm×２９７mm）で、原稿Ｍ１（サイズ１０５mm×２９０mm）の主走査方向における長さ（原稿サイズＭＹ）が１０５mmで、原稿サイズＭＹが用紙サイズの短辺ＰＳ（２１０mm）以下である場合、図中の破線で示した領域が読取領域Ｅ１となる。すなわち、読取サイズ設定部１０３は、主走査方向における読取サイズを、上記指定された定型用紙サイズの短辺の長さに設定し、副走査方向における読取サイズを、上記指定された定型用紙サイズの長辺の長さに設定する。
【００３２】
一方、読取サイズ設定部１０３が、原稿サイズＭＹが用紙サイズの短辺ＰＳ以下でないと判断した場合（Ｓ１でＮＯ）、読取サイズ設定部１０３が、主走査方向における読取サイズＲＨを用紙サイズの長辺ＰＬの長さに設定すると共に（Ｓ４）、副走査方向における読取サイズＲＶを用紙サイズの短辺ＰＳの長さに設定する（Ｓ５）。
【００３３】
図６は、載置読取用プラテンガラス１６２に不定形サイズの原稿Ｍ１が縦向きに載置された状態の一例を示した図であり、（Ａ）は上方から見た図であり、（Ｂ）は下方から見た図である。例えば、上記指定された定型用紙サイズがＡ４で、原稿Ｍ１の主走査方向における長さ（原稿サイズＭＹ）が２９０mmで、原稿サイズＭＹが用紙サイズの短辺ＰＳ（２１０mm）以下でない場合、図中の破線で示した領域が読取領域Ｅ２となる。すなわち、読取サイズ設定部１０３は、主走査方向における読取サイズを、上記指定された定型用紙サイズの長辺の長さに設定し、副走査方向における読取サイズを、上記指定された定型用紙サイズの短辺の長さに設定する。
【００３４】
続いて、制御部１００は、読取サイズ設定部１０３で設定された読取サイズＲＨ，ＲＶで原稿読取部５に原稿を読み取らせ（Ｓ６）、読取サイズ設定部１０３で設定された読取サイズの向きと、上記指定された定型用紙サイズの用紙の向きであって給紙部１４により給紙される向きとが一致するか否か、すなわち、当該読取サイズ及び給紙される定型用紙の用紙サイズが、主走査方向及び副走査方向の両方においてその寸法が一致するか否か、を判断する（Ｓ７）。
【００３５】
制御部１００が、両者の向きが一致する（当該読取サイズ及び給紙される定型用紙の用紙サイズが主走査方向及び副走査方向の両方において一致する）と判断した場合（Ｓ７でＹＥＳ）、制御部１００は、当該読み取りで得られた画像のトナー像を、給紙部１４により給紙された用紙に対して、画像形成部１２に画像形成させる（Ｓ８）。例えば、給紙部１４により給紙される用紙Ｐ１が、図７（Ａ）に示したように縦向きのＡ４で、読取サイズの向きも、図６に示したように縦向きで、両者の向きが一致する場合には、図７（Ｂ）に示したような出力結果が得られる。
【００３６】
一方、制御部１００が、両者の向きが一致しないと判断した場合（Ｓ７でＮＯ）、制御部１００は、当該読み取りで得られた画像を９０度回転させて、当該画像のトナー像を、給紙部１４により給紙された用紙に対して、画像形成部１２に画像形成させる（Ｓ９）。例えば、給紙部１４により給紙される用紙Ｐ１が、図７（Ａ）に示したように縦向きのＡ４で、読取サイズの向きが、図５に示したように横向きで、両者の向きが一致しない場合には、当該読み取りで得られた画像を９０度回転させることによって、図７（Ｂ）に示したような出力結果が得られる。なお、このＳ９においては、制御部１００は、当該読み取りで得られた画像を２７０度回転させて、当該画像のトナー像を、給紙部１４により給紙された用紙に対して、画像形成部１２に画像形成させるようにしてもよい。
【００３７】
上記第１実施形態によれば、主走査方向における原稿サイズＭＹと、定型の用紙サイズの短辺ＰＳとが比較され、主走査方向における原稿サイズＭＹが用紙サイズの短辺ＰＳ以下である（すなわち、主走査方向における読取サイズＲＨは用紙サイズの短辺ＰＳの長さで十分であり、用紙サイズの長辺ＰＬの長さを必要としない）と判断された場合、主走査方向における読取サイズＲＨが用紙サイズの短辺ＰＳの長さに設定され、副走査方向における読取サイズＲＶが用紙サイズの長辺ＰＬの長さに設定される。
【００３８】
すなわち、主走査方向における読取サイズＲＨは、（原稿サイズＭＹの長さ以上である）用紙サイズの短辺ＰＳの長さに設定されるので、主走査方向については、原稿の全範囲を読み取ることができる。一方、必要な大きさの分からない、副走査方向における読取サイズＲＶが、最大限大きくなるように、用紙サイズの短辺ＰＳではなく長辺ＰＬの長さに設定されるので、副走査方向について、画像が欠ける可能性を低くしたり、画像が欠けたとしても、その範囲を小さくしたりすることができる。
【００３９】
他方、主走査方向における原稿サイズＭＹが用紙サイズの短辺ＰＳ以下でない（すなわち、主走査方向における読取サイズＲＨは用紙サイズの短辺ＰＳの長さでは足りない）と判断された場合、主走査方向における読取サイズＲＨが用紙サイズの長辺ＰＬの長さに設定され、副走査方向における読取サイズＲＶが用紙サイズの短辺ＰＳの長さに設定される。
【００４０】
副走査方向については、用紙サイズの短辺ＰＳの長さで十分であるのか、又は足りないのかは分からないが、主走査方向については、用紙サイズの短辺ＰＳの長さで足りないことは明白である。
【００４１】
すなわち、用紙サイズの短辺ＰＳの長さでは足りないことが明白な、主走査方向における読取サイズＲＨが、最大限大きくなるように、用紙サイズの長辺ＰＬの長さに設定されるので、主走査方向について、画像が欠ける可能性を低くしたり、画像が欠けたとしても、その範囲を小さくしたりすることができる。一方、副走査方向については、副走査方向の原稿サイズが用紙サイズの短辺ＰＳ以下の場合には、画像は欠けない。
【００４２】
従って、画像が欠けるのを完全に防止することはできないが、その時々の状況に応じて最も相応しいと考えられる読取サイズが設定されるので、定型の用紙サイズに適するように、原稿の読取サイズを設定することができる。
【００４３】
また、読取サイズの向きと給紙部１４により給紙される用紙の向きとが一致しない場合には、原稿読取部５の読み取りで得られた画像を９０度又は２７０度回転させるので、用紙に対して適正に画像形成を行うことができる。なお、別の実施形態では、両者が一致しない場合、制御部１００が、原稿読取部５の読み取りで得られた画像を回転させるのではなく、縮小させて、例えば、２in１印刷で画像形成部１２に画像形成させるようにしてもよい。ここでは、読取サイズの向きと給紙部１４により給紙される用紙の向きとが一致しない場合には、原稿読取部５の読み取りで得られた画像を９０度又は２７０度回転させるが、この場合でも、読取サイズの向きと給紙部１４により給紙される用紙の向きとが一致しないときは、制御部１００は、更に、原稿読取部５の読み取りで得られた画像を縮小させて、原稿読取部５の読み取りで得られた画像の全てが、画像形成部１２により用紙上に画像形成されるようにしてもよい。
【００４４】
次に、第２実施形態に係る画像形成装置１の制御ユニット１０で行われる処理動作の一例について、図８に示したフローチャートに基づいて説明する。なお、Ｓ１２以外の処理については、第１実施形態と同様の処理であるので、その部分については説明を省略する。
【００４５】
Ｓ１において、読取サイズ設定部１０３が、原稿サイズＭＹが用紙サイズの短辺ＰＳ以下であると判断した場合（Ｓ１でＹＥＳ）、読取サイズ設定部１０３が、主走査方向における読取サイズＲＨを原稿サイズＭＹの長さに設定する（Ｓ１２）。
【００４６】
図９は、載置読取用プラテンガラス１６２に不定形サイズの原稿Ｍ１が横向きに載置された状態の一例を示した図であり、（Ａ）は上方から見た図であり、（Ｂ）は下方から見た図である。例えば、定型の用紙サイズがＡ４で、原稿Ｍ１の主走査方向における長さ（原稿サイズＭＹ）が１０５mmで、原稿サイズＭＹが用紙サイズの短辺ＰＳ（２１０mm）以下である場合、図中の破線で示した領域が読取領域Ｅ３となる。
【００４７】
当該第２実施形態によれば、主走査方向における原稿サイズＭＹと、定型の用紙サイズの短辺ＰＳとが比較され、主走査方向における原稿サイズＭＹが用紙サイズの短辺ＰＳ以下である（すなわち、主走査方向における読取サイズＲＨは、主走査方向における原稿サイズＭＹで十分である）と判断された場合、主走査方向における読取サイズＲＨが、主走査方向における原稿サイズＭＹに設定される。
【００４８】
従って、主走査方向における読取サイズＲＨは、用紙サイズの短辺ＰＳよりも短い長さに設定されるので、上記第１実施形態よりも、読取サイズが小さくなり、原稿読取に関する処理効率を向上させることができる。
【００４９】
また、更なる別の実施形態では、操作受付部１０１が、操作部４７を介して行われたユーザーからの読取サイズ設定の要望を受け付けると、制御部１００が、図１０に示したような、読取サイズ設定画面Ｄ１を表示部４７３に表示し、ユーザーからの読取サイズ設定を受け付けるようにしても良い。
【００５０】
読取サイズ設定画面Ｄ１には、読取サイズを指定するための選択ボタンＢ１〜Ｂ１０と、ラジオボタンＲ１，Ｒ２とが形成されている。選択ボタンＢ１〜Ｂ９はそれぞれ、読取サイズに「Ａ３」、「Ａ４横向き」、「Ａ４縦向き」、「Ａ５」、「Ａ６」、「Ｂ４」、「Ｂ５横向き」、「Ｂ５縦向き」、「Ｂ６」を指定するためのボタンであり、選択ボタンＢ１０は「自動検知」を指定するためのボタンである。
【００５１】
ラジオボタンＲ１，Ｒ２は、「自動検知」を示す選択ボタンＢ１０が選択された場合にいずれか一方のみ選択可能になるものであり、ラジオボタンＲ１は「用紙サイズを考慮する」を選択でき、ラジオボタンＲ２は「用紙サイズを考慮しない」を選択できる。なお、図１０では、選択ボタンＢ１０が選択され、そしてラジオボタンＲ１が選択された状態を示している。
【００５２】
操作受付部１０１が、ラジオボタンＲ１の選択を受け付けた場合、読取サイズ設定部１０３は、上記第１、第２実施形態で説明したように、原稿サイズ検知部１０２により検知された主走査方向における原稿サイズＭＹと、給紙部１４により給紙される定型の用紙サイズの短辺ＰＳとを比較し、その比較結果に基づいて、読取サイズを設定する。
【００５３】
一方、操作受付部１０１が、ラジオボタンＲ２の選択を受け付けた場合、読取サイズ設定部１０３は、上記比較を行わず、従来通りに、原稿サイズ検知部１０２により検知された主走査方向における原稿サイズＭＹから読取サイズを設定する。これにより、ユーザーは本発明における新しい読取サイズの設定と、従来通りの読取サイズの設定とを自由に切り替えることができる。
【００５４】
また、本発明は上記実施の形態の構成に限られず種々の変形が可能である。また、上記実施形態では、本発明に係る画像形成装置の一実施形態として複合機を用いて説明しているが、これは一例に過ぎず、例えば、コピー機単体の他の画像形成装置でもよい。
【００５５】
また、上記実施形態では、図１乃至図１０を用いて上記実施形態により示した構成及び処理は、本発明の一実施形態に過ぎず、本発明を当該構成及び処理に限定する趣旨ではない。
【符号の説明】
【００５６】
１        画像形成装置
５        原稿読取部
１４      給紙部
１００    制御部
１０１    操作受付部
１０２    原稿サイズ検知部
１０３    読取サイズ設定部
１６２    載置読取用プラテンガラス
【図１】
2018121304.tif 000003
【図２】
2018121304.tif 000004
【図３】
2018121304.tif 000005
【図４】
2018121304.tif 000006
【図５】
2018121304.tif 000007
【図６】
2018121304.tif 000008
【図７】
2018121304.tif 000009
【図８】
2018121304.tif 000010
【図９】
2018121304.tif 000011
【図１０】
2018121304.tif 000012